(57)【特許請求の範囲】
【請求項１】
第１パッド群と、
複数の記録素子を含む記録部と、
前記第１パッド群からの入力情報を処理し、前記入力情報に基づいて前記複数の記録素子の駆動を制御する動作を行う処理部と、
第２パッド群及び出力バッファ部を含む検査出力部と、を備え、
前記処理部は、前記動作について検査を行い、前記検査に関する情報であって、前記処理部に含まれる回路から出力される情報を前記検査出力部に出力し、
前記処理部の前記動作についての検査を行う際には前記第２パッド群に前記情報を出力するように前記出力バッファ部が駆動され、
前記記録部により記録を行う際には前記出力バッファ部の駆動電流が遮断される、
ことを特徴とする液体吐出ヘッド用半導体装置。
【請求項２】
２つの長辺と２つの短辺を有する長方形形状において、前記２つの短辺の一方から他方に向かって順に第１領域、第２領域、及び第３領域を含み、
前記第１パッド群は前記第１領域に配され、
前記検査出力部は前記第２領域に配され、
前記記録部は前記第３領域に配され、
前記２つの長辺の間に前記２つの長辺に平行に配された仮想線と前記２つの長辺の一方との間に前記検査出力部が配され、前記仮想線と前記２つの長辺の他方との間に前記記録部が配される、
ことを特徴とする請求項１に記載の液体吐出ヘッド用半導体装置。
【請求項３】
前記出力バッファ部はオープンドレイン出力部を有する、
ことを特徴とする請求項１又は２に記載の液体吐出ヘッド用半導体装置。
【請求項４】
記録を行う際は前記第２パッド群に接地電位を供給する、
ことを特徴とする請求項１乃至３のいずれか１項に記載の液体吐出ヘッド用半導体装置。
【請求項５】
記録を行う際は前記出力バッファ部と前記第２パッド群とは電気的に絶縁される、
ことを特徴とする請求項１乃至４のいずれか１項に記載の液体吐出ヘッド用半導体装置。
【請求項６】
前記検査出力部は、前記出力バッファ部の前記駆動電流の供給を切り替えるための信号を受ける第３パッド群を更に含む
ことを特徴とする請求項１乃至５のいずれか１項に記載の液体吐出ヘッド用半導体装置。
【請求項７】
前記液体吐出ヘッド用半導体装置は、短辺及び長辺を有する長方形形状であり、
前記第１パッド群は前記短辺に沿って配置され、
前記第２パッド群及び前記第３パッド群は前記長辺に沿って配置される
ことを特徴とする請求項６に記載の液体吐出ヘッド用半導体装置。
【請求項８】
請求項１〜７のいずれか１項に記載の液体吐出ヘッド用半導体装置と、
前記液体吐出ヘッド用半導体装置に取り付けられ、前記複数の記録素子のそれぞれの駆動に応じて記録剤を吐出する吐出口を備えた部材と、を含む、
ことを特徴とする液体吐出ヘッド。
【請求項９】
請求項８に記載の液体吐出ヘッドと、
前記液体吐出ヘッドに対して記録媒体を搬送する搬送部と、を含む、
ことを特徴とする液体吐出装置。
【請求項１０】
液体を吐出するための複数の吐出素子と、
前記複数の吐出素子を駆動するための駆動部と、
第１パッドと、
前記第１パッドからの信号線が接続され、前記駆動部を制御するための第１の信号を受ける論理回路部と、
第２パッドと、
出力バッファ部と、を備え、
前記論理回路部は、前記第１の信号を前記出力バッファ部に出力し、
検査を行う際には、前記出力バッファ部が、前記第１の信号を入力として受け、前記第１の信号に基づく第２の信号を前記第２パッドに出力し、
前記吐出を行う際には、前記第２パッドをオープン状態にすることで、前記出力バッファ部の駆動電流を遮断する、
ことを特徴とする液体吐出ヘッド用半導体装置。
【請求項１１】
請求項１０に記載の液体吐出ヘッド用半導体装置に接続するための接続部を備え、
前記接続部は、前記液体吐出ヘッド用半導体装置に接続されたときに前記第２パッドがオープン状態になるように構成されている、
ことを特徴とする液体吐出装置。
【請求項１２】
液体を吐出するための複数の吐出素子と、
前記複数の吐出素子を駆動するための駆動部と、
第１パッドと、
前記第１パッドからの信号線が接続され、前記駆動部を制御するための信号を受ける論理回路部と、
液体吐出装置と接続するための第２パッドと、
トランジスタと、を備え、
前記トランジスタのソースおよびドレインの一方は前記第２パッドに接続され、
前記トランジスタのソースおよびドレインの他方には電源電圧または接地電圧が供給され、
前記トランジスタのゲートは、前記論理回路部の出力に電気的に接続されている、
ことを特徴とする液体吐出ヘッド用半導体装置。
【請求項１３】
請求項１２に記載の液体吐出ヘッド用半導体装置に接続するための接続部を備え、
前記接続部は、前記液体吐出ヘッド用半導体装置に接続されたときに前記第２パッドがオープン状態になるように構成されている、
ことを特徴とする液体吐出装置。
【請求項１４】
液体吐出ヘッド用半導体装置の接続方法であって、
前記液体吐出ヘッド用半導体装置は、
液体を吐出するための複数の吐出素子と、
前記複数の吐出素子を駆動するための駆動部と、
第１パッドと、
前記第１パッドからの信号線が接続され、前記駆動部を制御するための信号を受ける論理回路部と、
前記論理回路部の動作についての検査に関する情報が、前記論理回路部から出力される第２パッドと、を備え、
前記接続方法は、
前記液体吐出ヘッド用半導体装置の検査を行うときに、前記第２パッドを検査用装置に接続する第１のステップと、
前記第１のステップの後に、前記第２パッドをオープン状態とする第２のステップと、を含む、
ことを特徴とする液体吐出ヘッド用半導体装置の接続方法。
【発明の詳細な説明】
【技術分野】
【０００１】
本発明は、液体吐出ヘッド用半導体装置、液体吐出ヘッド及び液体吐出装置に関する。
【背景技術】
【０００２】
液体吐出ヘッド用半導体装置は、複数の記録素子のそれぞれを駆動して、記録用紙に向けて記録剤を吐出させる。記録素子には電気熱変換素子が用いられ、記録剤は熱を加えられることによって吐出される。液体吐出ヘッド用半導体装置の記録素子の数は、高画質化に伴って増加している。
【０００３】
一方で、液体吐出ヘッド用半導体装置は、製造段階又は出荷段階において検査するための検査部を備える。この検査は、例えば、記録剤の吐出量ばらつきのような品質不良、又は論理不良による機能不良を防止する目的でなされる。
【先行技術文献】
【特許文献】
【０００４】
【特許文献１】特開平９−３１４８３４号公報
【発明の概要】
【発明が解決しようとする課題】
【０００５】
検査部は、検査の結果又はそれに関連する情報を検査用の外部装置に出力するために、駆動力の大きい検査用出力部を要する。これによって、検査用出力部はかなりの熱を発生し、液体吐出ヘッド用半導体装置の基板に不均一な温度分布をもたらしうる。このことは、記録剤の吐出量にばらつきをもたらし、結果として画質劣化の原因となりうる。
【０００６】
本発明の目的は、高画質を達成する液体吐出ヘッド用半導体装置を提供することにある。
【課題を解決するための手段】
【０００７】
本発明の一つの側面は液体吐出ヘッド用半導体装置にかかり、前記液体吐出ヘッド用半導体装置は、第１パッド群と、複数の記録素子を含む記録部と、前記第１パッド群からの入力情報を処理し、前記入力情報に基づいて前記複数の記録素子の駆動を制御する動作を行う処理部と、第２パッド群及び出力バッファ部を含む検査出力部と、を備え、前記処理部は、前記動作について検査を行い、前記検査に関する情報であって、前記処理部に含まれる回路から出力される情報を前記検査出力部に出力し、前記処理部の前記動作についての検査を行う際には前記第２パッド群に前記情報を出力するように前記出力バッファ部が駆動され、前記記録部により記録を行う際には前記出力バッファ部の駆動電流が遮断される、ことを特徴とする。
【発明の効果】
【０００８】
本発明によれば、高画質を達成する液体吐出ヘッド用半導体装置を提供することができる。
【図面の簡単な説明】
【０００９】
【図１】液体吐出用ヘッドの内部構成例を説明する図。
【図２】第１実施形態の液体吐出ヘッド用半導体装置の構成例を説明する図。
【図３】第１実施形態の処理部の構成例を説明する図。
【図４】第１実施形態のシフトレジスタ回路部のタイミングチャートの一例の説明図。
【図５】第１実施形態の検査用出力部の構成例を説明する図。
【図６】第１実施形態の検査モードにおける構成例を説明する図。
【図７】第２実施形態の液体吐出ヘッド用半導体装置の構成の一例を説明する図。
【図８】第２実施形態の検査用出力部の構成例を説明する図。
【図９】第３実施形態の処理部の構成例を説明する図。
【図１０】第３実施形態の検査用出力部の構成例を説明する図。
【図１１】各実施形態の液体吐出ヘッド用半導体装置の応用例を説明する図。
【図１２】液体吐出用ヘッドの構成例を説明する図。
【図１３】液体吐出装置の構成例を説明する図。
【図１４】液体吐出装置のシステム構成例を説明する図。
【発明を実施するための形態】
【００１０】
本発明の液体吐出ヘッド用半導体装置の各実施形態を説明するに先立って、図１を参照しながら、液体吐出ヘッド８１０の動作原理を説明する。液体吐出ヘッド８１０は、基体８０８の上に、液路８０５を形成するための流路壁部材８０１と、記録剤供給部８０３を有する天板８０２とを備えうる。また、液体吐出ヘッド８１０は、記録素子として発熱部８０６を含みうる。記録剤供給部８０３から注入される記録剤は、共通液室８０４へ蓄えられ、各液路８０５へ供給されうる。記録剤は、液路８０５を通って複数の吐出口８００のそれぞれに向かって流れうる。このとき、液体吐出ヘッド８１０は、発熱部８０６を駆動することで、吐出口８００から記録剤を吐出しうる。具体的には、記録剤の吐出量は、記録剤の温度が高いときは増加し、記録剤の温度が低いときは減少しうる。
【００１１】
＜第１実施形態＞
図２乃至６を参照しながら、第１実施形態の液体吐出ヘッド用半導体装置１を説明する。液体吐出ヘッド用半導体装置１は、図２に例示されるように、端子部２２０、処理部２３０、記録部２４０及び検査出力部２００を含みうる。これらは、例えば、大規模集積回路（ＬＳＩ）を製造するための標準的なプロセスによって、同一の基板上に形成されうる。
【００１２】
端子部２２０は、第１パッド群１０５を含みうる。第１パッド群１０５は、例えば、文字情報や画像情報等を外部から入力するための端子、その他電源供給のための端子を含みうる。処理部２３０は、第１パッド群１０５からの入力情報を処理し、また、この処理の動作についての検査に関する情報を検査出力部２００に出力しうる。記録部２４０は、処理部２３０の処理の結果にしたがって記録剤を吐出する複数の記録素子１０１を含みうる。記録素子１０１には、記録剤を吐出するために熱を発生するヒーター、例えば、抵抗体のような電気熱変換素子が用いられうる。また、記録部２４０は、複数の記録素子１０１に記録剤を供給する記録剤供給部１０３を含みうる。
【００１３】
ここで、処理部２３０は、例えば、論理部１０４及び駆動部１０２を含みうる。論理部１０４には、第１パッド群１０５からの信号線がそれぞれ接続されうる。論理部１０４は、第１パッド群１０５からの入力情報にしたがって駆動部１０２を制御しうる。また、論理部１０４は、この動作についての検査を行い、検査に関する情報を出力しうる。この検査は、例えば、論理部１０４による自己診断によってなされてもよいし、検査結果に関する一部の情報が検査用外部装置１１１（後述）に出力されて外部において診断されてもよい。駆動部１０２は、複数の記録素子１０１のそれぞれに接続され、論理部１０４からの制御にしたがって、複数の記録素子１０１のそれぞれを駆動しうる。より具体的には、駆動部１０２は、熱を発生するために所望の電流を複数の記録素子１０１のそれぞれに供給しうる。
【００１４】
検査出力部２００は、第２パッド群１０６及び出力バッファ部１０７を含みうる。ここで、処理部２３０は、前述のとおり、第１パッド群１０５からの入力情報の処理の他、その動作についての検査に関する情報を出力バッファ部１０７に出力しうる。検査に関する情報は、例えば、検査結果そのものでもよいし、検査用外部装置１１１において検査するために用いられる情報の一部でもよい。
【００１５】
論理部１０４は、図３に例示されるように、シフトレジスタ回路部１０８、ラッチ回路部１０９、及びアンプ１１０を含みうる。シフトレジスタ回路部１０８は、例えば３２ビットシフトレジスタからなり、３２ビット分の出力端子を備えうる。ラッチ回路部１０９は、シフトレジスタ回路部１０８の出力端子と同数のラッチ回路を含みうる。シフトレジスタ回路部１０８の３２ビット分の出力端子は、ラッチ回路部１０９に含まれる複数のラッチ回路と、それぞれ接続されうる。また、シフトレジスタ回路部１０８は、転送クロック信号ＣＬＫの入力端子、及びデータ信号ＤＡＴＡの入力端子を備えうる。データ信号ＤＡＴＡは、第１パッド群１０５からの入力情報（例えば、画像データ）をシリアルに入力しうる。また、ラッチ回路部１０８には、ラッチ信号ＬＴを入力する入力端子を備えうる。ラッチ回路部１０９に含まれる複数のラッチ回路の出力のそれぞれは、複数のアンプ１１０のそれぞれに入力されうる。複数のアンプ１１０の出力のそれぞれは、複数の記録素子１０１のそれぞれを駆動する駆動部１０２に接続されうる。
【００１６】
本実施形態においては、製造段階又は出荷段階において、シフトレジスタ回路部１０８についての検査がなされる場合を考える。検査を行う際は、シフトレジスタ部１０８は、その最終段の出力信号を、Ｓ／Ｒ＿ＯＵＴ信号として出力バッファ部１０７に出力しうる。ここで、Ｓ／Ｒ＿ＯＵＴ信号は、図４に例示されるように、ＤＡＴＡ信号が３２クロック分遅延した信号が出力されてもよい。その後、Ｓ／Ｒ＿ＯＵＴ信号は、例えば、ＤＡＴＡ信号と一致しているか否かを比較することによって、検査がなされうる。出力バッファ部１０７は、図５に例示されるように、ＮＭＯＳトランジスタのオープンドレイン出力部を備え、そのドレイン端子は第２パッド群１０６に接続されうる。検査は、図６に例示されるように、第２パッド群１０６の電位を、検査用外部装置１１１を用いてモニタすることによってなされうる。Ｓ／Ｒ＿ＯＵＴ信号は、プルアップ抵抗を用いて、検査用外部装置１１１に取り込まれうる。
【００１７】
一方で、記録を行う通常使用の際は、第２パッド群１０６をオープン状態にすることで、出力バッファ部１０７の駆動電流が遮断されうる。このとき、第２パッド群１０６は、ＧＮＤ電位（接地電位）に固定されている、又は出力回路の出力と前記テストパッドとを電気的に絶縁された状態となっていることが好ましい。これは、第２パッド群１０６の近傍の信号線等へのノイズ・干渉を低減するためである。このように、出力バッファ部１０７は、検査を行う際は、第２パッド群１０６に検査に関する情報を出力するように出力バッファ部１０７を駆動しうる。また、検査出力部２００は、記録を行う際は、この出力バッファ部１０７の駆動を抑制しうる。
【００１８】
これにより、検査出力部２００は、出力バッファ部１０７における発熱を防ぐことができ、したがって、液体吐出ヘッド用半導体装置１は、記録剤の吐出量のばらつきを抑制して高い画質を達成しうる。ここで、出力バッファ部１０７の駆動の抑制とは、記録を行う通常使用の際の出力バッファ部１０７で発生する熱量が、検査を行う際よりも少ない状態を含みうる。また、第２パッド群１０６は、図２においては、単数のパッドを示しているが、出力バッファ部１０７の規模に応じて、複数のパッドを含んでもよい。
【００１９】
また、液体吐出ヘッド用半導体装置１は、図２に例示されるように、相当の数の記録素子１０１を含むため、２つの長辺（Ｘ及びＸ’）と２つの短辺（Ｙ及びＹ’）を有する長方形形状となりうる。液体吐出ヘッド用半導体装置１は、２つの短辺の一方Ｙから他方Ｙ’に向かって順に第１領域Ａ、第２領域Ｂ及び第３領域Ｃを含みうる。端子部２２０は第１領域Ａに配され、検査出力部２００は第２領域Ｂに配され、記録部２４０は第３領域Ｃに配されうる。処理部２３０は、第２領域Ｂから第３領域Ｃにわたって配されうる。
【００２０】
ここで、長辺Ｘ及びＸ’の長さは、例えば、記録素子１０１の数量、論理領域の規模によって決定され、特に、記録素子１０１の数量によって決定されうる。短辺Ｙ及びＹ’の長さは、第１パッド群１０５の規模、具体的には、例えば、パッドのサイズ、数、又はこれらの配置によって決定されうる。記録を行う通常使用の際は、常に使用されうる第１パッド群１０５は、外部との接続が容易であることから短辺Ｙに沿って配置されることが好ましい。その一方、検査モードにおいてのみ使用されうる第２パッド群１０６は、チップ面積の縮小化の観点から、長辺Ｘ又はＸ’に沿って配置されることが好ましい。これにより、短辺Ｙ及びＹ’の長さが増大することを回避し、したがって、液体吐出ヘッド用半導体装置１のチップ面積が増大することを抑制することができる。このとき、図２に例示されるように、検査出力部２００は、仮想線Ｈと２つの長辺の一方（ここではＸ）との間に配されうる。また、記録部２４０は、仮想線Ｈと２つの長辺の他方（ここではＸ’）との間に配されうる。ここで、仮想線Ｈは、図２に例示されるように、２つの長辺Ｘ及びＸ’の間に、これら長辺Ｘ及びＸ’に平行に仮想的に配された直線を示す。
【００２１】
これにより、液体吐出ヘッド用半導体装置１は、検査出力部２００が発生しうる熱の記録素子１０１及び記録剤供給部１０３への影響を、さらに低減することができる。図２においては、検査出力部２００の出力バッファ部１０７及び第２パッド群１０６は、長辺Ｘ方向に並んで配されている。しかし、出力バッファ部１０７及び第２パッド群１０６は、それぞれの位置が逆でもよいし、短辺Ｙ方向に並んで配されてもよい。また、出力バッファ部１０７及び第２パッド群１０６は、重なって配されて（回路部分とパッドが同じ領域に形成されて）もよい。
【００２２】
以上により、液体吐出ヘッド用半導体装置１は、検査出力部２００の発熱による複数の記録素子１０１への影響を低減することができる。したがって、液体吐出ヘッド用半導体装置１は、記録剤の吐出量のばらつきを抑制して高い画質を達成しうる。
【００２３】
＜第２実施形態＞
図７及び８を参照しながら、第２実施形態の液体吐出ヘッド用半導体装置２を説明する。液体吐出ヘッド用半導体装置２は、図７に例示されるように、検査出力部２００がモード選択パッド１１２をさらに含む点で第１実施形態と異なる。モード選択パッド１１２は、検査モード又は通常モードのいずれかの動作モードを選択するためのパッドであり、出力バッファ部１０７に接続されうる。出力バッファ部１０７には、図８に例示されるように、ＡＮＤゲートが用いられうる。モード選択パッド１１２を、例えばＨｉ状態とすることによって、検査モードとなり、このとき、出力バッファ部１０７は論理部１０４についての検査結果を第２パッド群１０６に出力しうる。一方、モード選択パッド１１２を、例えばＬｏｗ状態とすることによって、通常モードとなり、出力バッファ部１０７は静止状態となりうる。これにより、検査出力部２００は、出力バッファ部１０７における発熱を防ぐことができる。このように、本実施形態においても、第１実施形態と同様の効果が得られる。
【００２４】
＜第３実施形態＞
図９及び１０を参照しながら、第３実施形態の液体吐出ヘッド用半導体装置２’を説明する。液体吐出ヘッド用半導体装置２’は、主に、図９に例示される論理部１０４’、及び図１０に例示される出力バッファ部１０７’を用いる点で第２実施形態と異なる。また、液体吐出ヘッド用半導体装置２’の第１パッド群１０５は、液体吐出ヘッド用半導体装置２の第１パッド群１０５よりも入力パッドを１個多く含みうる。この入力パッドは、後述の電源電圧Ｖｉｎを入力する電源入力端子１０５ａに用いられうる。
【００２５】
論理部１０４’は電源回路１１３を含みうる。電源回路１１３は、例えば２４［Ｖ］を電源電圧Ｖｉｎとして入力し、例えば１２［Ｖ］を出力Ｖｏｕｔとして出力する降圧回路であり、外部から供給された電源電圧から内部用電源を生成しうる。論理部１０４’は、電源回路１１３に電源電圧Ｖｉｎを入力するための電源入力端子１０５ａを備えうる。Ｖｏｕｔは、アンプ１１０の電源として用いられ、アンプ１１０は、Ｖｏｕｔに応じた電圧振幅の信号を出力する。複数のアンプ１１０の出力のそれぞれは、複数の記録素子１０１のそれぞれを駆動する駆動部１０２に接続されうる。駆動部１０２の駆動力は、アンプ１１０の出力の信号電圧に応じて変化しうる。したがって、電源回路１１３を用いることで記録素子１０１に流れる電流を制御することができる。
【００２６】
このような電源回路１１３も、製造段階又は出荷段階において検査されうるため、電源回路１１３の出力Ｖｏｕｔは、出力バッファ部１０７’に接続されうる。検査モードにおいては、第２パッド群１０６には、検査用外部装置１１１と接続されることによる負荷容量が付加されうる。これにより、Ｖｏｕｔは本来の出力値から変動しうる。このため、検査モード及び通常モードにおける電源回路１１３の負荷容量を一定にするため、出力バッファ部１０７’には電圧バッファ２１０が用いられうる。
【００２７】
一方、記録を行う通常使用の際は、出力バッファ部１０７’が動作していることから、検査用出力部において熱が発生しうる。本実施形態において、モード選択パッド１１２が出力バッファ部１０７’に接続されうる。これにより、液体吐出ヘッド用半導体装置２’は検査モード又は通常モードのいずれかの動作モードを選択することができる。
【００２８】
出力バッファ部１０７’は、電圧バッファ２１０とスイッチＳＷを含みうる。Ｖｏｕｔは電圧バッファ２１０に入力され、電圧バッファ２１０の出力は第２パッド群１０６に接続されうる。電圧バッファ２１０は、スイッチＳＷを介して電源に接続されうる。スイッチＳＷは、モード選択パッド１１２の状態に応じてスイッチング動作を行いうる。検査モードにおいては、スイッチＳＷは導通状態になり、電圧バッファ２１０に電源が供給され、Ｖｏｕｔは第２パッド群１０６に出力されうる。一方で、記録を行う通常使用の際は、スイッチＳＷは非導通状態になり、電圧バッファ２１０への電源供給が遮断されうる。これにより、検査出力部２００は、出力バッファ部１０７’における発熱を防ぐことができる。このように、本実施形態においても、第１及び２実施形態と同様の効果が得られる。
【００２９】
以上では、３つの実施形態の液体吐出ヘッド用半導体装置について述べたが、本発明はこれらに限られるものではなく、目的、状態、用途、機能、その他の仕様の変更が適宜可能であり、他の実施形態によっても実施されうることは言うまでもない。例えば、第１実施形態においては、論理部１０４を３２ビットとしたが、他のビットサイズでもよい。また、出力バッファ部１０７には、ＮＭＯＳトランジスタのオープンドレイン出力部が用いられたが、ＰＭＯＳトランジスタのオープンドレイン出力部、又はバイポーラトランジスタのオープンコレクタ出力部が用いられてもよい。また、検査は、論理部１０４に含まれるシフトレジスタ回路部１０８についての検査を一例として挙げたが、その他の項目についても同様である。また、例えば、第２実施形態においては、出力バッファ部１０７をＡＮＤゲートとしたが、その他の論理回路、例えば、ＯＲ、ＸＯＲ、ＮＯＲ、又はＮＡＮＤゲートでもよい。また、例えば、モード選択パッド１１２の状態によって出力状態を制御する方法は、スイッチ又はトライステートバッファを用いてなされてもよい。また、図５及び１０には、必要最小限な入出力を図示したが、液体吐出ヘッド用半導体装置は、その他に不図示の入出力端子及びボンディングパッドを含んでもよい。
【００３０】
また、各実施形態の液体吐出ヘッド用半導体装置は、図１１（ａ）乃至（ｅ）に例示されるように、他の目的のために各機構が効果的に配された液体吐出ヘッド用半導体装置の一部に含まれてもよい。図１１（ａ）は、記録剤供給部１０３の長軸を中心に線対称になるように折り返した形態の液体吐出ヘッド用半導体装置を示す。図１１（ｂ）は、図１１（ａ）の形態のうち、検査出力部２００の一方を省いた形態の液体吐出ヘッド用半導体装置を示す。図１１（ｃ）は、第３領域Ｃ側の端を中心に線対称になるように折り返した形態の液体吐出ヘッド用半導体装置を示す。図１１（ｄ）は、図１１（ｃ）の形態のうち、検査出力部２００の一方を省いた形態の液体吐出ヘッド用半導体装置を示す。さらに、液体吐出ヘッド用半導体装置は、図１１（ｅ）に例示されるように、これらを組み合わせた形態でもよい。
【００３１】
これらの液体吐出ヘッド用半導体装置は、液体吐出ヘッドに適用され、液体吐出装置に備えられうる。図１２は、液体吐出ヘッド８１０の全体構成例を説明する図である。液体吐出ヘッド８１０は、複数の吐出口８００を有する記録ヘッド部８１１、及び記録ヘッド部８１１に供給するための記録剤を保持する記録剤容器８１２を備えうる。記録剤容器８１２と記録ヘッド部８１１とは、例えば、破線Ｋにおいて分離して、記録剤容器８１２を交換することができる。液体吐出ヘッド８１０は、キャリッジ９２０からの電気信号を受け取るための電気的コンタクト（不図示）を備え、この電気信号にしたがって、記録剤を吐出する所望の動作をなしうる。記録剤容器８１２は、例えば、繊維質状又は多孔質状の記録剤保持材（不図示）を含み、この記録剤保持材によって記録剤を保持しうる。
【００３２】
液体吐出装置は、例えば、プリンタ、ファクシミリ及び複写機のようなインクジェット方式の記録装置を含む。以下、プリンタをその代表例として、図１３を参照しながら、液体吐出装置９００を説明する。液体吐出装置９００は、記録用紙Ｐに記録剤を吐出する液体吐出ヘッド８１０を含む。液体吐出ヘッド８１０は、キャリッジ９２０の上に搭載されうる。キャリッジ９２０は、リードスクリュー９０４の上に形成された螺旋溝９２１に取り付けられうる。リードスクリュー９０４は、駆動力伝達ギア９０２及び９０３を介して、駆動モータ９０１の回転に連動して回転しうる。液体吐出ヘッド８１０は、キャリッジ９２０と共にガイド９１９に沿って矢印ａ又はｂ方向に移動しうる。
【００３３】
その他、液体吐出装置９００は、以下に述べるものを含む。記録用紙Ｐは、搬送部（不図示）によってプラテン９０６の上に搬送されうる。紙押え板９０５は、キャリッジ移動方向に沿って、記録用紙Ｐをプラテン９０６に対して押えうる。液体吐出装置９００は、フォトカプラ９０７及び９０８を介して、キャリッジ９２０に設けられたレバー９０９の位置を確認し、駆動モータ９０１の回転方向の切換等を行いうる。支持部材９１０は、液体吐出ヘッド８１０の全面を覆うキャップ部材９１１を支持しうる。吸引手段９１２は、キャップ部材９１１の内部を吸引し、キャップ内開口９１３を介して液体吐出ヘッド８１０の吸引回復を行いうる。クリーニングブレード９１４は、周知のクリーニングブレードが用いられうる。移動部材９１５は、クリーニングブレード９１４を前後方向に移動させうる。本体支持板９１６は、移動部材９１５及びクリーニングブレード９１４を支持しうる。レバー９１７は、吸引回復の吸引を開始するために設けられうる。レバー９１７は、キャリッジ９２０と係合するカム９１８の移動に伴って移動し、駆動モータ９０１からの駆動力がクラッチ切換等の公知の伝達手段によって制御されうる。記録制御部（不図示）は液体吐出装置９００に設けられ、各機構のそれぞれの駆動を制御しうる。
【００３４】
液体吐出装置９００は、搬送部（不図示）によってプラテン９０６上に搬送される記録用紙Ｐに対し、液体吐出ヘッド８１０を記録用紙Ｐの全幅にわたって往復移動させながら、記録を行いうる。
【００３５】
図１４を参照しながら、液体吐出装置９００の記録制御を実行するためのシステム構成の一例を説明する。このシステムは、インターフェース１７００、ＭＰＵ（マイクロプロセッサ）１７０１、ＲＯＭ（リードオンリーメモリ）１７０２、ＲＡＭ（ランダムアクセスメモリ）１７０３及びゲートアレイ１７０４を含みうる。インターフェース１７００には、記録信号が入力されうる。ＲＯＭ１７０２は、ＭＰＵ１７０１が実行する制御プログラムを格納しうる。ＲＡＭ１７０３は、各種データ（前述の記録信号や液体吐出ヘッド１７０８に供給された記録データ等）を保存しうる。ゲートアレイ１７０４は、液体吐出ヘッド１７０８に対する記録データの供給制御を行いうる。また、ゲートアレイ１７０４は、インターフェース１７００、ＭＰＵ１７０１、ＲＡＭ１７０３の間のデータ転送の制御も行う。また、このシステムは、キャリアモータ１７１０、搬送モータ１７０９、ヘッドドライバ１７０５、並びにモータドライバ１７０６及び１７０７を含む。キャリアモータ１７１０は、液体吐出ヘッド１７０８を搬送しうる。搬送モータ１７０９は、記録用紙を搬送しうる。ヘッドドライバ１７０５は、液体吐出ヘッド１７０８を駆動しうる。モータドライバ１７０６及び１７０７は、搬送モータ１７０９及びキャリアモータ１７１０をそれぞれ駆動しうる。
【００３６】
インターフェース１７００に記録信号が入力されると、この記録信号は、ゲートアレイ１７０４とＭＰＵ１７０１の間でプリント用の記録データに変換されうる。これにしたがって、これらの機構のそれぞれは所望の動作を行い、記録が行われうる。
【００３７】
以上において、記録の概念には、文字、図形等、有意の情報を形成する場合のみならず、無意の情報を形成する場合をも含む。また、記録媒体には、例として記録用紙を用いたが、布、プラスチックフィルム、金属板、ガラス、セラミックス、樹脂、木材、皮革等のような記録剤を受容できるものであればよい。さらに、記録剤の概念は、一般的なインクのように、記録用紙の上に画像、模様、パターン等の形成する液体のみならず、記録剤の処理（例えば、記録剤に含まれる色剤の凝固または不溶化）に供される液体も含む。
【図１】
0005922918.tif 000002
【図２】
0005922918.tif 000003
【図３】
0005922918.tif 000004
【図４】
0005922918.tif 000005
【図５】
0005922918.tif 000006
【図６】
0005922918.tif 000007
【図７】
0005922918.tif 000008
【図８】
0005922918.tif 000009
【図９】
0005922918.tif 000010
【図１０】
0005922918.tif 000011
【図１１】
0005922918.tif 000012
【図１２】
0005922918.tif 000013
【図１３】
0005922918.tif 000014
【図１４】
0005922918.tif 000015